(57)【特許請求の範囲】
【請求項１】
Ｗ−ＣＤＭＡ方式の移動体端末との間で無線信号の授受を行なうためのレイヤ１処理部（２２）と、
前記レイヤ１処理部との間でデータの授受を行なうメディアアクセス制御手段（２４）および該メディアアクセス制御手段との間でデータの授受を行なう無線リンク制御手段（２５）を含み、前記移動体端末との間でリンクを形成してデータの送受信を可能にするとともに、データに対する秘匿処理を行なうレイヤ２処理部（２３）と、
前記レイヤ２処理部に前記秘匿処理のためのパラメータを含む制御情報を出力するとともに、前記無線リンク制御手段との間でデータの授受を行い、前記移動体端末に対する試験を行なう試験制御部（３０）とを有する移動体端末試験装置において、
前記レイヤ２処理部には、前記パラメータに基づいて前記秘匿処理に用いるマスクデータを算出するために専用化された単一のマスクデータ演算器（２６）が、前記メディアアクセス制御手段および無線リンク制御手段を構成するプロセッサと独立に設けられ、
前記無線リンク制御手段は、前記移動体端末との間のデータ転送モードが確認型モードまたは非確認型モードの場合に、前記試験制御部から受けたパラメータに自己の制御情報を付加した新たなパラメータを前記メディアアクセス制御手段に通知するように構成され、
前記メディアアクセス制御手段は、前記移動体端末との間のデータ転送モードが透過型モードの場合には、前記試験制御部から受けたパラメータを前記マスクデータ演算器に通知して該マスクデータ演算器が算出したマスクデータによってデータの秘匿処理を行い、前記移動体端末との間のデータ転送モードが確認型モードまたは非確認型モードの場合には、前記無線リンク制御手段から受けたパラメータを前記マスクデータ演算器に通知して該マスクデータ演算器が算出したマスクデータによってデータの秘匿処理を行うように構成されていることを特徴とする移動体端末試験装置。
【発明の詳細な説明】
【０００１】
【発明の属する技術分野】
本発明は、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式の移動体端末機の試験を行なうための移動体端末試験装置に関し、その秘匿に関する試験を円滑に且つ少ないハードウエア構成で実現するための技術に関する。
【０００２】
【従来の技術】
Ｗ−ＣＤＭＡは、送信情報データ系列をそのシンボルレートに比較して高速なレートの拡散符号で広帯域の信号に拡散して伝送する方式であり、携帯電話機等の移動体端末の新しい無線アクセス方式として採用される。
【０００３】
このＷ−ＣＤＭＡ方式では、伝送するデータの秘匿性を維持するために、所定データで暗号化したデータを送信し、受信データを前記所定データで復号化している。
【０００４】
したがって、このＷ−ＣＤＭＡ方式の移動体端末の試験を行なう試験装置として、この秘匿処理が必要となる。
【０００５】
秘匿処理の暗号化および復号化は、各種のパラメータに基づいて算出されたマスクデータ（キーストリームブロック）で送信用のデータあるいは受信したデータをマスク処理（排他的論理和をとる）を行なうことで実現される。
【０００６】
また、Ｗ−ＣＤＭＡでは、この秘匿処理に関して、プロトコルのレイヤ２処理の無線リンク制御部（ＲＬＣ）で用いるデータ転送モードに応じて、以下のように使い分けることが規定されている。
【０００７】
（ａ）ＲＬＣで確認型モード（ＡＭ）または非確認型モード（ＵＭ）を使用する論理チャネルのデータについては、ＲＬＣで秘匿処理を行なう。
【０００８】
（ｂ）ＲＬＣで透過型モード（ＴＭ）を使用する論理チャネルのデータについては、レイヤ２処理部のメディアアクセス制御部（ＭＡＣ）で秘匿処理を行なう。
【０００９】
なお、ここで、確認型モードはパケットデータ等の通信を行なう際に誤りのあるデータを受けたときに再送要求をするモードであり、非確認型モードは誤りのあるデータを受けたときにこれを破棄するモードであり、透過型モードは、音声等の通信を行なう際に誤り判定等を行なわずにデータを通過させるモードである。
【００１０】
したがって、上記規定に準じて移動体端末の秘匿に関する試験を行なうためには、試験装置のレイヤ２処理部を構成する無線リンク制御部とメディアアクセス制御部にそれぞれ秘匿処理機能を設ける必要がある。
【００１１】
【発明が解決しようとする課題】
しかしながら、無線リンク制御部およびメディアアクセス制御部は、通常単一のＣＰＵで構成されているため、各制御部の通常の処理過程で上記マスクデータを算出する処理が大きな負担となって、処理速度が低下するという問題が生じ、その結果、秘匿処理に係る機能達成が困難であった。
【００１２】
本発明は、この問題を解決した移動体端末試験装置を提供することを目的としている。
【００１３】
【課題を解決するための手段】
前記目的を達成するために、本発明の請求項１の移動体端末試験装置は、
Ｗ−ＣＤＭＡ方式の移動体端末との間で無線信号の授受を行なうためのレイヤ１処理部（２２）と、
前記レイヤ１処理部との間でデータの授受を行なうメディアアクセス制御手段（２４）および該メディアアクセス制御手段との間でデータの授受を行なう無線リンク制御手段（２５）を含み、前記移動体端末との間でリンクを形成してデータの送受信を可能にするとともに、データに対する秘匿処理を行なうレイヤ２処理部（２３）と、
前記レイヤ２処理部に前記秘匿処理のためのパラメータを含む制御情報を出力するとともに、前記無線リンク制御手段との間でデータの授受を行い、前記移動体端末に対する試験を行なう試験制御部（３０）とを有する移動体端末試験装置において、
前記レイヤ２処理部には、前記パラメータに基づいて前記秘匿処理に用いるマスクデータを算出するために専用化された単一のマスクデータ演算器（２６）が、前記メディアアクセス制御手段および無線リンク制御手段を構成するプロセッサと独立に設けられ、
前記無線リンク制御手段は、前記移動体端末との間のデータ転送モードが確認型モードまたは非確認型モードの場合に、前記試験制御部から受けたパラメータに自己の制御情報を付加した新たなパラメータを前記メディアアクセス制御手段に通知するように構成され、
前記メディアアクセス制御手段は、前記移動体端末との間のデータ転送モードが透過型モードの場合には、前記試験制御部から受けたパラメータを前記マスクデータ演算器に通知して該マスクデータ演算器が算出したマスクデータによってデータの秘匿処理を行い、前記移動体端末との間のデータ転送モードが確認型モードまたは非確認型モードの場合には、前記無線リンク制御手段から受けたパラメータを前記マスクデータ演算器に通知して該マスクデータ演算器が算出したマスクデータによってデータの秘匿処理を行うように構成されていることを特徴としている。
【００１６】
【発明の実施の形態】
以下、図面に基づいて本発明の実施の形態を説明する。
図１は、本発明の実施形態の移動体端末試験装置２０の構成を示すブロック図である。
【００１７】
図１に示しているように、この移動体端末試験装置２０は、試験装置本体２１と、パーソナルコンピュータ等からなる試験制御装置３０とによって構成されている。
【００１８】
試験装置本体２１には、レイヤ１処理部を構成し、試験対象のＷ−ＣＤＭＡ方式の移動体端末１（携帯電話）との間で電波の送受信と変復調処理を行う無線送受信部２２、レイヤ２処理部２３および試験制御装置３０との間でデータの通信を行なうための通信インタフェース２９とによって構成されている。
【００１９】
無線送受信部２２は、レイヤ２処理部２３からのデータをチャネル識別用のコードを用いてエンコード（チャネル符号化という）し、これをＱＰＳＫ方式でデータ変調し、そのデータを拡散用コードによって周波数拡散処理して、これを高い周波数帯に周波数変換して送信する機能と、受信波を低い周波数帯に周波数変換し、拡散用コードと同一のコードで周波数逆拡散処理を行いその出力を復調し、復調した信号をチャネル識別用のコードでデコードしてレイヤ処理部２３に出力する機能とを有している。
【００２０】
レイヤ２処理部２３は、試験対象の移動体端末１との間でリンクを形成してデータの送受信を可能にするとともに、データに対する秘匿処理を行なうためのものであり、無線送受信部２２との間でデータの授受を行なうメディアアクセス制御手段（ＭＡＣ）２４と、メディアアクセス制御手段２４および試験制御装置３０との間でデータの授受を行なう無線リンク制御手段（ＲＬＣ）２５と、マスクデータ演算器２６とを有している。
【００２１】
メディアアクセス制御手段２４は、無線リンク制御手段２５との間で定義される論理チャネルと、レイヤ１処理部である無線送受信部２２との間で定義されるトランスポートチャネルとの対応付け、データのＭＡＣヘッダによる端末識別、トランスポートチャネルに対するデータの多重化／分離等の処理をリアルタイムで行なう。
【００２２】
また、このメディアアクセス制御手段２４は、データの転送モードがいずれの場合であっても、秘匿処理に必要なパラメータをマスクデータ演算器２６へ通知し、そのマスクデータ演算器２６からのマスクデータＭを用いてデータの秘匿処理を行なうように構成されている。
【００２３】
即ち、メディアアクセス制御手段２４は、データ転送モードが透過型モード（ＴＭ）で秘匿処理の要求があった場合には、試験制御装置３０から受けたパラメータをマスクデータ演算器２６に通知し、マスクデータ演算器２６が算出したマスクデータによってデータの秘匿処理を行う。
【００２４】
また、データ転送モードが確認型モード（ＡＭ）または非確認型モード（ＵＭ）で秘匿処理の要求があった場合には、無線リンク制御手段２５から受けたパラメータをマスクデータ演算器２６に通知し、マスクデータ演算器２６が算出したマスクデータによってデータの秘匿処理を行うように構成されている。
【００２５】
無線リンク制御手段２５は、試験対象の移動体端末１との間で無線によるリンクを形成するとともに、その移動体端末１との間で、透過型モード、非確認型モード、確認型モードのうちの任意のデータ転送モードでデータの転送を可能にし、上位レイヤ（この場合、試験制御装置３０）と移動体端末１との間でデータの授受を可能にする。
【００２６】
なお、この転送モードは、試験制御装置３０側から指定でき、透過型モードが指定されたときには、図２の（ａ）、（ｂ）のように、試験制御装置３０側から受けた送信用データを必要に応じて分割してメディアアクセス制御手段２４に送り、逆に、メディアアクセス制御手段２４から受けた受信データを必要に応じて組み立てて試験制御装置３０へ出力する。
【００２７】
また、非確認型モードが指定された場合には、図３の（ａ）、（ｂ）のように、送信用データＤＴを必要な単位に分割してシーケンス番号を含むＲＬＣヘッダを付加してメディアアクセス制御手段２４に送る。なお、このとき秘匿処理の要求があれば、試験制御装置３０から通知された秘匿処理用のパラメータと自己の制御情報とからなる新たなパラメータを生成して、メディアアクセス制御手段２４に送る。また、メディアアクセス制御手段２４から受けた受信データの誤りを検出し、誤りが無ければＲＬＣヘッダを外してデータの組み立てを行い、試験制御装置３０へ出力し、誤りがあればそのデータを破棄する。
【００２８】
また、確認型モードが指定された場合には、図４の（ａ）、（ｂ）に示すように、送信用データＤＴを前記同様に必要な単位に分割してシーケンス番号を含むＲＬＣヘッダを付加してメディアアクセス制御手段２４に送るとともに、送信済みのデータバッファ（図示せず）に記憶しておく。
【００２９】
なお、このとき秘匿処理の要求があれば、試験制御装置３０から通知された秘匿処理用のパラメータと自己の制御情報とからなる新たなパラメータＰを生成して、メディアアクセス制御手段２４に送る。
【００３０】
また、メディアアクセス制御手段２４から受けた受信データＤＲの誤りを検出し、誤りが無ければ確認したことを示す情報を制御情報として送信側へ出力するとともにＲＬＣヘッダを外してデータの組み立てを行い試験制御装置３０へ出力し、誤りがあれば移動体端末１に再送要求をする制御情報を送信するか、あるいは重大な誤りの場合には、リセットを要求する制御情報を送信することによりパラメータを初期化して、最初からやり直す手続をする。
【００３１】
また、メディアアクセス制御手段２４から再送要求を含む制御情報を受信した場合には、送信済みバッファから指定されたシーケンス番号のデータを抽出して再送を行なう。
【００３２】
上記したメディアアクセス制御手段２４および無線リンク制御手段２５は、ＣＰＵ、ＲＯＭ、ＲＡＭからなるマイクロコンピュータ（図示せず）で構成されており、リアルタイム処理が必要なメディアアクセス制御手段２４は、そのＣＰＵに対する割り込み処理で実行され、無線リンク制御手段２５はタスク処理で実行される。
【００３３】
レイヤ２処理部２３は、通信インタフェース２９を介して試験制御装置３０との間でデータおよび制御情報の授受が可能になっている。
【００３４】
試験制御装置３０は、移動体端末１に対する秘匿を含む各種試験の手順やその項目に必要なデータや制御情報等からなるプログラムを記憶しておいて、そのプログラムを実行することで移動体端末１の試験ができるようになっている。
【００３５】
各種の試験のうち、秘匿試験の場合、試験装置本体２１に対して、データ転送モードとマスクデータの算出に必要なパラメータを指定する。
【００３６】
このパラメータとしては、秘匿シーケンス番号を表す「ＣＯＵＮＴ」、認証フェーズの「ＣＫ」、論理チャネルの識別子の「ＢＥＡＲＥＲ」、上り下りの違いを示す「ＤＩＲＥＣＴＩＯＮ」、マスクデータ（キーストリームブロック）の長さをを表す「ＬＥＮＧＴＨ」、秘匿処理の開始と終了のタイミングを指定する「Ａｃｔｉｖａｔｉｏｎ  Ｔｉｍｅ」がある。
【００３７】
一方、マスクデータ演算器２６は、前記秘匿処理に用いるマスクデータを算出するために専用化されたものであり、例えば高速な演算が可能なディジタルシグナルプロセッサで構成されており、前記したようにマイクロコンピュータで構成されている無線リンク制御手段２５およびメディアアクセス制御手段２４が行なう処理とは別に、それと並行処理するように構成されている。このマスクデータ演算器２６は、メディアアクセス制御手段２４から受けたパラメータに基づいてマスクデータＭを算出してメディアアクセス制御手段２４に出力する。
【００３８】
このように構成された移動体端末試験装置２０では、例えば試験制御装置３０によって、透過型モードＴＭで秘匿処理が指定されて、特定の送信用データＤＴが入力されると、図５に示すように、無線リンク制御手段２５からデータＤＴと実質的に同一のデータＤＴ′がメディアアクセス制御手段２４に送られる。なお、ここでは、単一のチャネルのみに着目し、データの分割／組み立て、多重化／分離を考慮しないで示す。
【００３９】
メディアアクセス制御手段２４は、試験制御装置３０から受けたパラメータＰをマスクデータ算出器２６に通知して、その通知したパラメータＰに対してマスクデータ演算器２６が算出したマスクデータＭを受け、このマスクデータＭによって無線リンク制御手段２５からのデータＤＴ′をマスク処理（ＥＸＯＲ）して、その処理で得られたデータＭ（＋）ＤＴ′にＭＡＣヘッダＨｍを付加して、無線送受信部２２に出力する。
【００４０】
また、試験制御装置３０によって、確認モードＡＭまたは非確認モードＵＭで秘匿処理が指定されて、特定の送信用データＤＴが入力されると、図６に示すように、無線リンク制御手段２５からデータＤＴ′にＲＬＣヘッダＨｒが付加されたデータＤＴａが、メディアアクセス制御手段２４に送られる。また、秘匿処理に用いるマスクデータの算出に必要な無線リンク制御手段２５自身の制御情報を試験制御装置３０から通知されたパラメータＰに付加して得られる新たなパラメータＰ′の情報がメディアアクセス制御手段２４に送られる。
【００４１】
メディアアクセス制御手段２４は、無線リンク制御手段２５から受けたパラメータＰ′をマスクデータ算出器２６に通知して、その通知したパラメータＰ′に対してマスクデータ演算器２６が算出したマスクデータＭを受け、このマスクデータＭによって無線リンク制御手段２５からのデータＤＴａのうちのペイロード部分ＤＴをマスク処理し、その処理で得られたデータＭ（＋）ＤＴ′およびＲＬＣヘッダＨｒにＭＡＣヘッダＨｍを付加して、無線送受信部２２に出力する。
【００４２】
なお、上記例は試験装置側から暗号化したデータを送信する場合の例であったが、移動体端末１側から暗号化されたデータが送信される場合でも同様の秘匿処理（この場合には復号処理）が行なわれる。
【００４３】
したがって、上記特定データＤＴの内容を移動体端末１が正しく受信できれば、移動体端末１の秘匿処理の復号機能が正常であると判断することができる。また、逆に、移動体端末１から特定のデータを暗号化して送信させ、これを受信して、メディアアクセス制御手段２４で復号化してその内容を試験制御装置３０のモニタに出力した結果が、特定データの内容と一致していれば、移動体端末１の秘匿処理の暗号化機能が正常であると判断することができる。
【００４４】
このように実施形態の移動体端末試験装置２０は、レイヤ２処理部２３の秘匿処理に用いるマスクデータの算出を、ＤＳＰからなる専用化されたマスクデータ演算器２６によって行なうようにしているので、メディアアクセス制御手段２４や無線リンク制御手段２５を形成するＣＰＵの負担が著しく軽減され、Ｗ−ＣＤＭＡ方式の移動体端末１の秘匿に関する試験を、高速に且つ安定に行なうことができる。
【００４５】
また、マスクデータ演算器２６は、メディアアクセス制御手段２４から受けたパラメータに基づいてマスクデータを算出してメディアアクセス制御手段２４に出力するように構成され、無線リンク制御手段２５は、移動体端末１との間のデータ転送モードが確認型モードまたは非確認型モードの場合に、試験制御装置３０から受けたパラメータに自己の制御情報を付加した新たなパラメータをメディアアクセス制御手段２４に通知するように構成され、さらに、メディアアクセス制御手段２４は、移動体端末１との間のデータ転送モードが確認型モードまたは非確認型モードの場合に、無線リンク制御手段２５からうけたパラメータをマスクデータ演算器２６に通知し、マスクデータ演算器２６が算出したマスクデータによってデータの秘匿処理を行うように構成されている。
【００４６】
このため、転送モードに関わらず、単一のマスクデータ演算器２６でマスクデータを算出することができ、試験装置の構成を簡素化、低コスト化することができる。
【００４７】
【発明の効果】
以上説明したように、本発明の移動体端末試験装置では、レイヤ２処理部に、メディアアクセス制御手段および無線リンク制御手段を構成するプロセッサと独立に設けられ、秘匿処理に用いるマスクデータを算出するために専用化された単一のマスクデータ演算器が設けられ、無線リンク制御手段は、移動体端末との間のデータ転送モードが確認型モードまたは非確認型モードの場合に、試験制御部から受けたパラメータに自己の制御情報を付加した新たなパラメータをメディアアクセス制御手段に通知するように構成され、さらに、メディアアクセス制御手段は、移動体端末との間のデータ転送モードが確認型モードまたは非確認型モードの場合に、無線リンク制御手段から受けたパラメータをマスクデータ演算器に通知して、マスクデータ演算器が算出したマスクデータによってデータの秘匿処理を行うように構成されている。
【００４８】
このため、メディアアクセス制御手段や無線リンク制御手段を構成するプロセッサによるマスクデータ演算処理の負担がなくなり、Ｗ−ＣＤＭＡ方式の移動体端末の秘匿に関する試験を、高速に且つ安定に行なうことができ、また、転送モードに関わらず、単一のマスクデータ演算器でマスクデータを算出し、そのマスクデータによる秘匿処理をメディアアクセス制御手段で行うようにしたので、試験装置の構成を簡素化、低コスト化することができる。
【図面の簡単な説明】
【図１】本発明の実施形態の構成を示すブロック図
【図２】実施形態の要部の透過型モード時の動作を説明するための図
【図３】実施形態の要部の非確認型モード時の動作を説明するための図
【図４】実施形態の要部の確認型モード時の動作を説明するための図
【図５】実施形態の透過型モード時の動作例を説明するための図
【図６】実施形態の確認型または非確認型モード時の動作例を説明するための図
【符号の説明】
１……移動体端末、２０……移動体端末試験装置、２１……試験装置本体、２２……無線送受信部、２３……レイヤ２処理部、２４……メディアアクセス制御手段、２５……無線リンク制御手段、２６……マスクデータ演算器、３０……試験制御装置
【図１】
0003689384.tif 000002
【図２】
0003689384.tif 000003
【図３】
0003689384.tif 000004
【図４】
0003689384.tif 000005
【図５】
0003689384.tif 000006
【図６】
0003689384.tif 000007